(57)【要約】【課題】練習者のみ、あるいは介護者の軽補助のみでリハビリ機器上に乗ることができる車椅子用傾斜台を提供すること。【解決手段】床面１から段部３に車椅子４を渡す車椅子用傾斜台において、床面１から略段部３の高さまでの傾斜部５と、略段部高さの平坦部６とを有する傾斜台本体７を設け、この傾斜台本体７の先端部に、車椅子４の左右の前輪４１が載置されるブリッジ板８を、段部３上に架設可能に設ける。【選択図】図３
2005058448.tif 000002
【特許請求の範囲】
【請求項１】
床面から段部に車椅子を渡す車椅子用傾斜台において、床面から略段部高さまでの傾斜部と、略段部高さの平坦部とを有する傾斜台本体を設け、該傾斜台本体の先端部に、車椅子の左右の前輪が載置されるブリッジ板を、段部上に架設可能に設けたことを特徴とする車椅子用傾斜台。
【請求項２】
前記ブリッジ板の前輪載置部の間に、前側を開放した所定広さの空間部を設けたことを特徴とする請求項１記載の車椅子用傾斜台。
【発明の詳細な説明】
【技術分野】
【０００１】
本発明は、車椅子用傾斜台に関し、特に、立位練習器等のリハビリ機器への乗降を容易にすることができる車椅子用傾斜台に関するものである。
【背景技術】
【０００２】
従来、高齢者や足腰が不自由な人々、手術後の患者等（以下、練習者という）のリハビリは、立位練習器等のリハビリ機器に付近まで車椅子で来て、介護者が介助することにより測定器に乗り降りして測定を行ったり、練習者のみで這うなどの行動によって測定を行っている。
【０００３】
しかしながら、従来の立位練習器等のリハビリ機器は、床からの段差があるため、練習者のみの測定器への乗降が困難であり、介護者が介助して乗降させる必要があるという問題があり、この測定前の行動自体が練習以前に困難なことであった。
【発明の開示】
【発明が解決しようとする課題】
【０００４】
本発明は、従来の立位練習器等のリハビリ機器に乗降する際の問題点を解決し、練習者のみ、あるいは介護者の軽補助のみでリハビリ機器上に乗ることができる車椅子用傾斜台を提供することを目的とする。
【課題を解決するための手段】
【０００５】
上記目的を達成するため、本発明の車椅子用傾斜台は、床面から段部に車椅子を渡す車椅子用傾斜台において、床面から略段部高さまでの傾斜部と、略段部高さの平坦部とを有する傾斜台本体を設け、該傾斜台本体の先端部に、車椅子の左右の前輪が載置されるブリッジ板を、段部上に架設可能に設けたことを特徴とする。
【０００６】
この場合において、前記ブリッジ板の前輪載置部の間に、前側を開放した所定広さの空間部を設けることができる。
【発明の効果】
【０００７】
本発明の車椅子用傾斜台によれば、床面から段部に車椅子を渡す車椅子用傾斜台において、床面から略段部高さまでの傾斜部と、略段部高さの平坦部とを有する傾斜台本体を設け、該傾斜台本体の先端部に、車椅子の左右の前輪が載置されるブリッジ板を、段部上に架設可能に設けることから、立位練習器等のリハビリ機器に車椅子に乗ったまま乗り上げて、リハビリ機器に乗り移ることができ、これにより、練習者自身又は介護者の軽補助のみでリハビリ機器を使用することが可能になる。
【０００８】
また、前記ブリッジ板の前輪載置部の間に、前側を開放した所定広さの空間部を設けることにより、ブリッジ板を、リハビリ機器の荷重測定部に接触せずにまたいで設置することができ、練習者が車椅子から荷重測定部に直接乗れるとともに、ブリッジ板を設置したままでリハビリ機器の測定を行うことが可能となる。
【発明を実施するための最良の形態】
【０００９】
以下、本発明の車椅子用傾斜台の実施の形態を、図面に基づいて説明する。
【実施例１】
【００１０】
図１〜図４に、本発明の車椅子用傾斜台の一実施例を示す。
この車椅子用傾斜台は、床面１から立位練習器２の基台３に車椅子４を渡すもので、床面１から略基台高さまでの傾斜部５と、略基台高さの平坦部６とを有する傾斜台本体７を設け、該傾斜台本体７の先端部に、車椅子４の左右の前輪４１が載置されるブリッジ板８を、基台３上に架設可能に設けている。
そして、この車椅子用傾斜台は、ブリッジ板８の前輪載置部８１の間に、前側を開放した所定広さの空間部８２を設けている。
【００１１】
立位練習器２は、床からの段部となる基台３の中央上面に、左右の足をそれぞれ乗せる１対の荷重測定部２１を備えるとともに、基台３の左右両端に支柱２２を各々立設し、各支柱２２の先端に１対の支持棒２３を平行に固定している。
【００１２】
傾斜台本体７は、可搬式の一体のものからなり、後部に傾斜部５を、前部に平坦部６をそれぞれ備えるとともに、傾斜部５と平坦部６に脱輪防止用のリブ９を形成している。
傾斜部５は、無理なく車椅子４が昇降できる傾斜角度に設けられており、平坦部６は、車椅子４の前輪４１がブリッジ板８に乗った状態で後輪がこの平坦部６上に乗る長さに設定されている。
【００１３】
ブリッジ板８は、蝶番１０を介して傾斜台本体７の先端部の上部に折り畳み可能に配設されており、その周囲には、前輪４１の脱輪を防止するリブ９が形成されている。
また、ブリッジ板８の空間部８２は、立位練習器２の荷重測定部上に位置するように、少なくとも該荷重測定部の広さを有して形成されており、ブリッジ板８の先端側は、立位練習器２の基台３の他の部分によって支持される。
この場合、ブリッジ板８を傾斜台本体７の先端部の上部に折り畳んで収納するとき、図４（ｃ）に示すように、リブ９が形成されているブリッジ板８を傾斜台本体７の平坦部６に沿って平坦に折り畳むことができるように、特に限定されるものではないが、例えば、図４に示すように、ブリッジ板８と傾斜台本体７の先端部とを連結する蝶番１０の回転軸がブリッジ板８のリブ９の高さの略１／２の高さ位置になるように蝶番１０を配設するようにする。
【００１４】
かくして、本実施例の車椅子用傾斜台は、床面１から立位練習器２の基台３に車椅子４を渡す車椅子用傾斜台において、床面１から略基台高さまでの傾斜部５と、略基台高さの平坦部６とを有する傾斜台本体７を設け、該傾斜台本体７の先端部に、車椅子４の左右の前輪４１が載置されるブリッジ板８を、基台３上に架設可能に設けることから、立位練習器２等のリハビリ機器に車椅子４に乗ったまま乗り上げて、リハビリ機器に乗り移ることができ、これにより、練習者自身又は介護者の軽補助のみでリハビリ機器を使用することが可能になる。
そして、前記ブリッジ板８の前輪載置部８１の間に、前側を開放した所定広さの空間部８２を設けることにより、ブリッジ板８を、リハビリ機器の荷重測定部に接触せずにまたいで設置することができ、練習者が車椅子４から荷重測定部に直接乗れるとともに、ブリッジ板８を設置したままでリハビリ機器の測定を行うことが可能となる。
【００１５】
以上、本発明の車椅子用傾斜台について、実施例に基づいて説明したが、本発明は上記実施例に記載した構成に限定されるものではなく、その趣旨を逸脱しない範囲において適宜その構成を変更することが可能である。
【産業上の利用可能性】
【００１６】
以上、本発明の車椅子用傾斜台は、床面から略段部高さまでの傾斜部と、略段部高さの平坦部とを有する傾斜台本体を設け、該傾斜台本体の先端部に、車椅子の左右の前輪が載置されるブリッジ板を段部上に架設可能に設けるという特性を有していることから、立位練習器等のリハビリ機器に車椅子に乗ったまま乗り上げて、リハビリ機器に乗り移る用途に好適に用いることができるほか、例えば、一般の段部を車椅子で乗り越えるような用途にも用いることができる。
【図面の簡単な説明】
【００１７】
【図１】本発明の車椅子用傾斜台の一実施例を示す斜視図である。
【図２】同実施例の車椅子用傾斜台の使用状態を示す平面図である。
【図３】同側面図である。
【図４】蝶番部の説明図で、（ａ）は平面図、（ｂ）正面図、（ｃ）はブリッジ板を傾斜台本体の平坦部に沿って折り畳んだ状態を示す正面図である。
【符号の説明】
【００１８】
１    床面
２    立位練習器
２１  荷重測定部
２２  支柱
２３  支持棒
３    基台（段部）
４    車椅子
４１  前輪
４２  後輪
５    傾斜部
６    平坦部
７    傾斜台本体
８    ブリッジ板
８１  前輪載置部
８２  空間部
９    リブ
１０  蝶番
【図１】
2005058448.tif 000003
【図２】
2005058448.tif 000004
【図３】
2005058448.tif 000005
【図４】
2005058448.tif 000006